【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
放射線源から照射されたX線を検知するセンサによって生成された画像を取得する取得手段と、
前記取得手段により取得された前記画像に基づいて前記画像の品質を評価するための評価値を生成する生成手段と、
前記生成手段により生成された前記評価値に基づいて、前記画像の品質に対する評価の結果を判定する判定手段と、
前記判定手段により判定された前記評価の結果を表示する表示手段と、
を有し、
前記センサに設定される前記X線の照射の開始を検知するための複数の異なる検知モードに対応して、前記生成手段または前記判定手段のそれぞれは異なる処理を行うことを特徴とするX線画像処理装置。
【請求項２】
前記複数の異なる検知モードは、前記センサからの信号に基づいてＸ線の照射開始を検知することにより撮像を行う第１の検知モードを含むことを特徴とする請求項１に記載のX線画像処理装置。
【請求項３】
前記センサが前記第１の検知モードに設定される場合、前記生成手段は前記画像内に現れるアーチファクトを補正し、補正後の画像に基づいて前記評価値を生成することを特徴とする請求項２に記載のX線画像処理装置。
【請求項４】
前記センサが前記第１の検知モードに設定される場合、前記取得手段により取得された画像に対して所定の画像処理を行う画像処理手段をさらに有し、前記生成手段は、前記画像処理が失敗していない場合に前記画像処理が行われた画像に基づいて前記評価値を生成することを特徴とする請求項２に記載のX線画像処理装置。
【請求項５】
前記所定の画像処理は、グリッド縞抑制処理であることを特徴とする請求項４に記載のX線画像処理装置。
【請求項６】
前記判定手段は、前記第１の検知モード用の閾値と前記評価値を比較して、前記評価の結果を判定することを特徴とする請求項３から５のいずれか１項に記載のX線画像処理装置。
【請求項７】
前記複数の異なる検知モードは、前記センサが前記放射線源から取得したタイミングで撮像を開始する第２の検知モードを含み、
前記判定手段は、前記第１の検知モード用の閾値を、前記第２の検知モード用の閾値から算出することを特徴とする請求項６に記載のX線画像処理装置。
【請求項８】
前記センサが前記第１の検知モードに設定される場合、前記生成手段は前記画像内に現れるアーチファクトの含有率が所定の閾値より小さい場合、前記アーチファクトが取り除かれた領域から前記評価値を生成することを特徴とする請求項２に記載のX線画像処理装置。
【請求項９】
前記画像内に現れるアーチファクトの含有率が所定の閾値より大きい場合、前記生成手段は前記評価値を生成せず、前記表示手段は再撮影を促すメッセージを表示することを特徴とする請求項８に記載のX線画像処理装置。
【請求項１０】
前記センサが前記第１の検知モードに設定される場合、前記生成手段は前記画像に現れるアーチファクトの領域を前回の撮影により得られた画像を用いて置換し、該置換後の画像に基づいて前記評価値を生成することを特徴とする請求項２に記載のX線画像処理装置。
【請求項１１】
前記置換後の画像にアーチファクトが現れる場合、前記表示手段は再撮影を促すメッセージを表示し、前記生成手段は、前記画像に現れるアーチファクトの領域を該再撮影により得られた画像を用いて置換し、該置換後の画像に基づいて前記評価値を生成することを特徴とする請求項１０に記載のX線画像処理装置。
【請求項１２】
前記複数の異なる検知モードは、前記センサが前記放射線源から取得したタイミングで撮像を開始する第２の検知モードを含み、
前記判定手段は、前記第２の検知モード用の閾値と前記評価値を比較して、前記評価の結果を判定することを特徴とする請求項８から１１のいずれか１項に記載のX線画像処理装置。
【請求項１３】
前記センサが前記第１の検知モードに設定される場合であって、前記判定手段により前記評価の結果が不合格と判定された場合、
前記生成手段は前記画像内に現れるアーチファクトが取り除かれた領域から第２の評価値を生成し、前記判定手段は前記第２の評価値に基づいて前記評価の結果を判定することを特徴とする請求項２に記載のX線画像処理装置。
【請求項１４】
前記センサが前記第１の検知モードに設定される場合であって、前記判定手段により前記評価の結果が不合格と判定された場合、
前記生成手段は前記画像内に現れるアーチファクトを補正し、補正後の画像に基づいて第２の評価値を生成し、前記判定手段は前記第２の評価値に基づいて前記評価の結果を判定することを特徴とする請求項２に記載のX線画像処理装置。
【請求項１５】
前記複数の異なる検知モードは、前記センサが前記放射線源から取得したタイミングで撮像を開始する第２の検知モードを含み、
前記判定手段は、前記第２の検知モード用の閾値と前記評価値を比較して、前記評価の結果を判定することを特徴とする請求項１３または１４に記載のX線画像処理装置。
【請求項１６】
放射線源から照射されたX線を検知するセンサによって生成された画像を取得する取得手段と、
前記取得手段により取得された前記画像に基づいて前記画像に現れるアーチファクトの量に関する情報を生成する生成手段と、
前記生成手段により生成された前記情報に基づいて前記アーチファクトを補正できるか否かを判定する判定手段と、
前記判定手段により前記アーチファクトを補正できると判定された場合に前記画像における前記アーチファクトを補正する補正手段と、
を有することを特徴とするX線画像処理装置。
【請求項１７】
前記生成手段は前記アーチファクトの発生率を前記情報として生成し、
前記判定手段は前記アーチファクトの発生率が前記アーチファクトを補正できる限界の値を示す第１の閾値より小さい場合に前記アーチファクトを補正できると判定することを特徴とする請求項１６に記載のX線画像処理装置。
【請求項１８】
前記生成手段は前記画像の平均値を前記情報として生成し、
前記判定手段は前記平均値が前記アーチファクトを補正するのに十分な値を示す第２の閾値より大きい場合に前記アーチファクトを補正できると判定することを特徴とする請求項１６に記載のX線画像処理装置。
【請求項１９】
前記平均値は前記画像内の特定の領域の画素の平均値であることを特徴とする請求項１８に記載のX線画像処理装置。
【請求項２０】
前記第２の閾値は照射すべき最低線量に対する画素値であることを特徴とする請求項１９に記載のX線画像処理装置。
【請求項２１】
前記判定手段は、前記画像における、X線の曝射が開始された行の位置と補正限界のアーチファクトの量となる行の位置に基づいて、前記最低線量に対する画素値を算出することを特徴とする請求項２０に記載のX線画像処理装置。
【請求項２２】
前記判定手段は、前記画像における、X線の曝射が開始された行の位置と該画像におけるアーチファクトの最大許容幅に基づいて、前記最低線量に対する画素値を算出することを特徴とする請求項２０に記載のX線画像処理装置。
【請求項２３】
前記補正手段により補正された前記画像に対して高画質化処理を行う画像処理手段をさらに有することを特徴とする請求項１６から２２のいずれか１項に記載のX線画像処理装置。
【請求項２４】
前記補正手段により補正された前記画像に基づいて前記画像の品質を評価するための評価値を生成して、該評価値に基づいて、前記画像の品質に対する評価の結果を判定する判定手段と、
前記判定手段により判定された前記評価の結果を表示する表示手段を更に有することを特徴とする請求項１６から２３のいずれか１項に記載のX線画像処理装置。
【請求項２５】
放射線源から照射されたX線を検知するセンサによって生成された画像を取得する取得工程と、
前記取得工程において取得された前記画像に基づいて前記画像の品質を評価するための評価値を生成する生成工程と、
前記生成工程において生成された前記評価値に基づいて、前記画像の品質に対する評価の結果を判定する判定工程と、
前記判定工程において判定された前記評価の結果を表示する表示工程と、
を有し、
前記センサに設定される前記X線の照射の開始を検知するための複数の異なる検知モードに対応して、前記生成工程または前記判定工程のそれぞれは異なる処理を行うことを特徴とするX線画像処理方法。
【請求項２６】
放射線源から照射されたX線を検知するセンサによって生成された画像を取得する取得工程と、
前記取得工程において取得された前記画像に基づいて前記画像に現れるアーチファクトの量に関する情報を生成する生成工程と、
前記生成工程において生成された前記情報に基づいて前記アーチファクトを補正できるか否かを判定する判定工程と、
前記判定工程において前記アーチファクトを補正できると判定された場合に前記画像における前記アーチファクトを補正する補正工程と、
を有することを特徴とするX線画像処理方法。
【請求項２７】
請求項１から請求項２４のいずれか１項に記載のX線画像処理装置の各手段としてコンピュータを機能させるためのプログラム。